【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
複数のユーザの各々が入力したメッセージを表すメッセージオブジェクトを、入力者を識別可能な表示態様で表示させるメッセージ表示端末であって、
前記メッセージオブジェクトを選択するための選択操作を受け付ける受付手段と、
前記選択操作がなされることに応じて生成されるメッセージに関するメッセージデータであって、選択された前記メッセージオブジェクトを利用して生成される前記メッセージデータに基づいて、選択された前記メッセージオブジェクトが表すメッセージに基づいて定まるメッセージを表すメッセージオブジェクトを、当該選択操作をしたユーザを入力者として識別可能な表示態様で表示させる表示制御手段と、
前記複数のユーザの各々を表すユーザオブジェクトの少なくとも一つを選択するための操作を受け付ける手段と、
を含み、
前記表示制御手段は、選択された前記メッセージオブジェクトが表すメッセージと、選択された前記ユーザオブジェクトが表すユーザを識別する識別情報と、を含むメッセージを表す前記メッセージオブジェクトを表示させる、
ことを特徴とするメッセージ表示端末。
【請求項２】
複数のユーザの各々が入力したメッセージであって、前記複数のユーザのうちの少なくとも一人のユーザを識別する識別情報を含むメッセージを表すメッセージオブジェクトを、入力者を識別可能な表示態様で表示させるメッセージ表示端末であって、
前記メッセージオブジェクトを選択するための選択操作を受け付ける受付手段と、
前記選択操作がなされることに応じて生成されるメッセージに関するメッセージデータであって、選択された前記メッセージオブジェクトを利用して生成される前記メッセージデータに基づいて、選択された前記メッセージオブジェクトが表すメッセージに基づいて定まるメッセージを表すメッセージオブジェクトを、当該選択操作をしたユーザを入力者として識別可能な表示態様で表示させる表示制御手段と、
前記複数のユーザの各々を表すユーザオブジェクトの少なくとも一つを選択するための操作を受け付ける手段と、
を含み、
前記表示制御手段は、選択された前記メッセージオブジェクトが表すメッセージに含まれる前記識別情報を、選択された前記ユーザオブジェクトが表すユーザを識別する情報に置き換えたメッセージを表す前記メッセージオブジェクトを表示させる、
ことを特徴とするメッセージ表示端末。
【請求項３】
前記受付手段は、表示された前記メッセージオブジェクトに関する履歴情報に基づいて表示されるメッセージオブジェクトを選択するための前記選択操作を受け付ける、
ことを特徴とする請求項１又は２に記載のメッセージ表示端末。
【請求項４】
前記受付手段は、選択された前記入力者の前記履歴情報に基づいて表示されるメッセージオブジェクトを選択するための前記選択操作を受け付ける、
ことを特徴とする請求項３に記載のメッセージ表示端末。
【請求項５】
前記表示制御手段は、前記履歴情報に基づいて前記メッセージオブジェクトを互いに同じ前記メッセージが重複しないように表示させる、
ことを特徴とする請求項３又は４に記載のメッセージ表示端末。
【請求項６】
前記表示制御手段は、
選択された前記メッセージオブジェクトが表すメッセージに基づいて定まるメッセージを表すメッセージオブジェクトと、選択された前記メッセージオブジェクトと、を関連付けて表示させる手段と、
選択された前記メッセージオブジェクトが表すメッセージに基づいて定まるメッセージと、選択された前記メッセージオブジェクトが表すメッセージと、を表す一のメッセージオブジェクトを表示させる手段と、
の少なくとも一方を含むことを特徴とする請求項１〜５の何れかに記載のメッセージ表示端末。
【請求項７】
前記メッセージ表示端末は、
入力された前記メッセージを送信するための送信操作、又は、予め定められた複数のメッセージ候補の少なくとも一つを前記メッセージとして送信するための送信操作を受け付ける手段を更に含み、
前記受付手段は、前記送信操作とは異なる前記選択操作を受け付ける、
ことを特徴とする請求項１〜６の何れかに記載のメッセージ表示端末。
【請求項８】
複数のユーザの各々が入力したメッセージを表すメッセージオブジェクトを表示させるメッセージ表示端末であって、
前記メッセージオブジェクトを選択するための選択操作を受け付ける受付手段と、
前記選択操作がなされることに応じて生成されるメッセージに関するメッセージデータであって、選択された前記メッセージオブジェクトを利用して生成される前記メッセージデータに基づいて、選択された前記メッセージオブジェクトが表すメッセージに基づいて定まるメッセージを表すメッセージオブジェクトを表示させる表示制御手段と、
前記複数のユーザの各々を表すユーザオブジェクトの少なくとも一つを選択するための操作を受け付ける手段と、
を含み、
前記表示制御手段は、選択された前記メッセージオブジェクトが表すメッセージと、選択された前記ユーザオブジェクトが表すユーザを識別する識別情報と、を含むメッセージを表す前記メッセージオブジェクトを表示させる、
ことを特徴とするメッセージ表示端末。
【請求項９】
複数のユーザの各々が入力したメッセージであって、前記複数のユーザのうちの少なくとも一人のユーザを識別する識別情報を含むメッセージを表すメッセージオブジェクトを表示させるメッセージ表示端末であって、
前記メッセージオブジェクトを選択するための選択操作を受け付ける受付手段と、
前記選択操作がなされることに応じて生成されるメッセージに関するメッセージデータであって、選択された前記メッセージオブジェクトを利用して生成される前記メッセージデータに基づいて、選択された前記メッセージオブジェクトが表すメッセージに基づいて定まるメッセージを表すメッセージオブジェクトを表示させる表示制御手段と、
前記複数のユーザの各々を表すユーザオブジェクトの少なくとも一つを選択するための操作を受け付ける手段と、
を含み、
前記表示制御手段は、選択された前記メッセージオブジェクトが表すメッセージに含まれる前記識別情報を、選択された前記ユーザオブジェクトが表すユーザを識別する情報に置き換えたメッセージを表す前記メッセージオブジェクトを表示させる、
ことを特徴とするメッセージ表示端末。
【請求項１０】
複数のユーザの各々が入力したメッセージに関するメッセージデータを、各ユーザの端末に送信するメッセージ送信サーバであって、
前記各ユーザの端末から、前記メッセージを表すメッセージオブジェクトが選択されたことを示すメッセージ選択通知を受信する受信手段と、
前記受信手段が受信した前記メッセージ選択通知に応じて、選択された前記メッセージオブジェクトを利用して、選択された前記メッセージオブジェクトが表すメッセージに基づいて定まるメッセージに関するメッセージデータを、当該メッセージ選択通知の送信元のユーザを入力者として生成するデータ生成手段と、
前記データ生成手段により生成された前記メッセージデータを、前記各ユーザの端末に送信する送信手段と、
前記各ユーザの端末から、前記複数のユーザの各々を表すユーザオブジェクトの少なくとも一つを選択するための操作が行われたことを示す通知を受信する手段と、
を含み、
前記データ生成手段は、選択された前記メッセージオブジェクトが表すメッセージと、選択された前記ユーザオブジェクトが表すユーザを識別する識別情報と、を含むメッセージに関する前記メッセージデータを生成する、
ことを特徴とするメッセージ送信サーバ。
【請求項１１】
複数のユーザの各々が入力したメッセージであって、前記複数のユーザのうちの少なくとも一人のユーザを識別する識別情報を含むメッセージに関するメッセージデータを、各ユーザの端末に送信するメッセージ送信サーバであって、
前記各ユーザの端末から、前記メッセージを表すメッセージオブジェクトが選択されたことを示すメッセージ選択通知を受信する受信手段と、
前記受信手段が受信した前記メッセージ選択通知に応じて、選択された前記メッセージオブジェクトを利用して、選択された前記メッセージオブジェクトが表すメッセージに基づいて定まるメッセージに関するメッセージデータを、当該メッセージ選択通知の送信元のユーザを入力者として生成するデータ生成手段と、
前記データ生成手段により生成された前記メッセージデータを、前記各ユーザの端末に送信する送信手段と、
前記各ユーザの端末から、前記複数のユーザの各々を表すユーザオブジェクトの少なくとも一つを選択するための操作が行われたことを示す通知を受信する手段と、
を含み、
前記データ生成手段は、選択された前記メッセージオブジェクトが表すメッセージに含まれる前記識別情報を、選択された前記ユーザオブジェクトが表すユーザを識別する情報に置き換えたメッセージに関する前記メッセージデータを生成する、
ことを特徴とするメッセージ送信サーバ。
【請求項１２】
請求項１〜９の何れかに記載のメッセージ表示端末、又は、請求項１０若しくは請求項１１に記載のメッセージ送信サーバとしてコンピュータを機能させるためのプログラム。